(57)【要約】【課題】インスツルメントホース引き出し時におけるインスツルメントホースへの負担を軽くして断線の恐れをなくし、インスツルメント戻しを術者の意図的な動作によって行うようにして、戻し時の誤動作を防ぐ。【解決手段】歯科治療用ワークテーブル１の下部面に該下部面と直角な面を有して延在するガイド板１０に沿ってスライドする滑車ブロック２０と、滑車２１を巻回して配設されるインスツルメントホース５と、滑車ブロック２０を前記ガイド板１０にロックするブレーキ手段２５とを有し、インスツルメント４を所望量引き出し、引き出した位置に前記滑車ブロックをロックして歯科治療を行う。インスツルメントホルダ２のインスツルメント引き出し口２１の上方にセンサ２６を有し、該センサ２６にて前記インスツルメントホース５が上方に持ち上げられたことを検知して前記ブレーキ手段２５をアンロックにし、前記インスツルメントホースを引き戻す。【選択図】図２
2011041605.tif 000002
【特許請求の範囲】
【請求項１】
歯科治療用ワークテーブルの下部面に該下部面と直角な面を有して延在するガイド板に沿ってスライドする滑車ブロックと、該滑車ブロックを常時巻戻し側に牽引しておくコプリングと、一端が前記ワークテーブルに連結され他端にインスツルメントホースが連結され、かつ、前記滑車ブロックの滑車を巻回して配設されたインスツルメントホースと、前記インスツルメントを載置するインスツルメントホルダーと、前記滑車ブロックを任意所望の位置にて前記ガイド板にロックするブレーキ手段とを有し、インスツルメントをインスツルメントホルダーより所望量引き出し、引き出した位置に前記滑車ブロックをロックして歯科治療を行うようにした歯科用ワークテーブルにおいて、前記インスツルメントホルダーのインスツルメントを引き出し口の上方にセンサを有し、該センサにて前記インスツルメントホースが上方に持ち上げられたことを検知して前記ブレーキ手段をアンロックにし、前記インスツルメントホースを前記コプリングによって引き戻すようにしたことを特徴とする歯科治療用ワークテーブル。
【請求項２】
前記滑車ブロックは、前記ブレーキ手段を搭載した機能板と、該機能板に移動方向に沿って設けられた所定長のスリットを通して軸が挿通された滑車と、前記機能板と前記滑車の間に張設され、該滑車の軸を前記スリットの引き戻し側に位置させておくばねと、前記滑車の軸が前記引き戻し側の位置にあることを検知するリミットスイッチとを有し、前記リミットスイッチは、前記滑車の軸が前記引き戻し側の位置にある時に、前記ブレーキ手段を作動させて前記滑車ブロックをロックし、前記インスツルメントが引き出されて、前記滑車の軸が前記リミットスイッチから離れた時、前記ブレーキ手段をアンロックすることを特徴とする請求項１に記載の歯科治療用ワークテーブル。
【請求項３】
インスツルメントホースの引き出しを停止した時、前記滑車の軸が前記ばねによって元の引き戻し側の位置に引き戻され、その引き戻しを前記リミットスイッチにより検知して前記ブレーキ手段をロックすることを特徴とする請求項２に記載の歯科治療用ワークテーブル。
【発明の詳細な説明】
【技術分野】
【０００１】
本発明は、歯科治療用ワークテーブル、より詳細には、ワークテーブルの下部の巻き込み式のインスツルメントホース収納機構を有し、インスツルメント引き出し時のインスツルメントホースのロック、アンロック、インスツルメント戻し時のアンロックを改良し、インスツルメントホース引き出し時の引き出し長さの調節を容易にしてインスツルメントの使い勝手を改良し、かつ、インスツルメントホース引き出し時におけるインスツルメントホースへの負担を軽くして、インスツルメントホースの断線等の恐れをなくし、更には、インスツルメント戻し時のアンロックを術者の意図的な動作によって行うようにして、戻し時の誤動作を防ぐようにした歯科治療用ワークテーブルに関する。
【背景技術】
【０００２】
歯科治療用ワークテーブルには、歯科治療に使用する各種インスツルメント、例えば、マイクロエンジン、エアータービン、シリンジ等が装備され、歯科治療に当り、術者は、これらインスツルメントの中から治療に必要な所望のインスツルメントを引き出して使用する。各インスツルメントは、歯科治療用ワークテーブルに取り付けられたインスツルントホルダに懸架（縦置き式）され或いは載置（横置き式）され、該インスツルメントが連結されているインスツルメントホースは、インスツルメントホルダから吊下され或いはインスツルメントホース収納室内に巻き込まれる（インスツルメントホルダが吊下されない）ようになっている。
【０００３】
巻き込み式の場合、インスツルメントホースを巻回するための滑車（ドラム）を有し、非使用時には、インスツルメントホースを前記滑車に巻き取ってインスツルメントを所望位置に保留し、治療時には、インスツルメント（インスツルメントホース）を引き出して使用するようにしている。
【０００４】
而して、従来の巻き込み式のワークテーブルでは、予め設定した位置でしかインスツルメントホースをロックすることができず、そのため、インスツルメントホースの引き出し長さが固定されてしまい、診療位置によっては、インスツルメントホースが長すぎて使い勝手が悪い場合があった。
【０００５】
また、インスツルメントホースをロックさせる際や、ロックを解除させる際に、必要以上にインスツルメントホースを引っ張らなくてはならず、インスツルメントホースへの負担が大きく、これがインスツルメントホース断線の要因のひとつになっていた。
【発明の概要】
【発明が解決しようとする課題】
【０００６】
本発明は、上述のごとき実情に鑑みてなされたもので、インスツルメントホースを巻き込むドラム（滑車）を任意所望の位置へロックするブレーキ手段と、インスツルメントホースの位置を検索するセンサ又はリミットスイッチ（センサとリミットスイッチは同意）とによって、巻き込みドラム（滑車）のスライド位置を任意所望の位置に固定できるようにしたフリーストップ構造の巻き込み式ワークテーブルを提供することを目的としてなされたものである。
【課題を解決するための手段】
【０００７】
請求項１の発明は、歯科治療用ワークテーブルの下部面に該下部面と直角な面を有して延在するガイド板に沿ってスライドする滑車ブロックと、該滑車ブロックを常時巻戻し側に牽引しておくコプリングと、一端が前記ワークテーブルに連結され他端にインスツルメントホースが連結され、かつ、前記滑車ブロックの滑車を巻回して配設されたインスツルメントホースと、前記インスツルメントを載置するインスツルメントホルダと、前記滑車ブロックを任意所望の位置にて前記ガイド板にロックするブレーキ手段とを有し、インスツルメントをインスツルメントホルダより所望量引き出し、引き出した位置に前記滑車ブロックをロックして歯科治療を行うようにした歯科用ワークテーブルにおいて、前記インスツルメントホルダのインスツルメントを引き出し口の上方にセンサを有し、該センサにて前記インスツルメントホースが上方に持ち上げられたことを検知して前記ブレーキ手段をアンロックにし、前記インスツルメントホースを前記コプリングによって引き戻すようにしたことを特徴としたものである。
【０００８】
請求項２の発明は、請求項１の発明において、前記滑車ブロックは、前記ブレーキ手段を搭載した機能板と、該機能板に移動方向に沿って設けられた所定長のスリットを通して軸が挿通された滑車と、前記機能板と前記滑車の間に張設され、該滑車の軸を前記スリットの引き戻し側に位置させておくばねと、前記滑車の軸が前記引き戻し側の位置にあることを検知するリミットスイッチとを有し、前記リミットスイッチは、前記滑車の軸が前記引き戻し側の位置にある時に、前記ブレーキ手段を作動させて前記滑車ブロックをロックし、前記インスツルメントが引き出されて、前記滑車の軸が前記リミットスイッチから離れた時、前記ブレーキ手段をアンロックすることを特徴としたものである。
【０００９】
請求項３の発明は、請求項２の発明において、インスツルメントホースの引き出しを停止した時、前記滑車の軸が前記ばねによって元の引き戻し側の位置に引き戻され、その引き戻しを前記リミットスイッチにより検知して前記ブレーキ手段をロックすることを特徴としたものである。
【発明の効果】
【００１０】
本発明によると、インスツルメントホースを任意所望の位置でロックさせることができるため、あらゆる診療位置においても、必要な分だけ、最小限の動作でインスツルメントホースを引き出し、ロックすることができる。
また、インスツルメントをインスツルメントホルダに戻す際に、インスツルメントホースの動きをセンサやリミットスイッチで感知し、該インスツルメントホースの動きに基いてインスツルメントホースのロックを解除するため、インスツルメントホースへの負担が少なく、インスツルメントホースの断線が少なく、更には、術者の意図的な動作によってインスツルメントホースを引き戻すようにしたので、引き戻し時の誤動作もない。
【図面の簡単な説明】
【００１１】
【図１】本発明による歯科治療用ワークテーブルの一例を示す外観図である。
【図２】本発明によるインスツルメントホース巻き込み機構の一例を説明するための図である。
【図３】本発明の実施に使用する滑車ブロックの詳細を説明するための図である。
【図４】本発明によるインスツルメントホース引き戻し機構の一例を説明するための図である。
【発明を実施するための形態】
【００１２】
図１は、本発明によると歯科治療用ワークテーブルの一実施例を説明するための外観図で、ワークテーブル１の上には、歯科治療に必要な薬剤、ピンセット、鋏、ミラー、ガーゼ等が載せてあり、診療中、術者は、これら部品をワークテーブルから取り上げたり、戻したりして使用する。
【００１３】
ワークテーブル部１の下には、インスツルメントホルダ２及びインスツルメントホース収納部３が設けられており、インスツルメントホルダ２には、歯科治療に必要なマイクロエンジン、エアータービン、シリンジ等の各種インスツルメント４が載置されており、施術時、必要なインスツルメントが該インスツルメントホルダ２から引き出されて使用される。インスツルメントホース収納部３には、各インスツルメント４が連結されているインスツルメントホース５を引き出し可能に収納するための巻き込み式引き出し機構が設けられている。
【００１４】
図２は、本発明によりインスツルメントホース収納部３の一構成例を説明するための図で、インスツルメントホース収納部３内は、各インスツルメントホース５毎に、ワークテーブル１の下部面に該下部面と直角の面を有し、各ワークテーブルの長手（前後）方向に延長するガイド板（仕切板）１０が設けられている。各ガイド板１０の面には、長手方向に延長するレール１１が設けられており、インスツルメントホース５が巻回される滑車２１を有する滑車ブロック２０が該レール１１に沿って走行可能に取り付けられている。
【００１５】
図２において、実線で示す滑車ブロック２０の位置は、インスツルメントホース５がインスツルメントホース収納部３内に引き込まれて、インスツルメント４がインスツルメントホルダ２上に載置されている非使用時の状態を示し、破線で示す滑車ブロック２０’の位置は、インスツルメントホース５がインスツルメント収納部３から引き出されて、インスツルメント４によって診療が行なわれている時の状態を示す。なお、滑車ブロック２０は周知のコプリング手段（定トルクスプリング）２７によって常時インスツルメント４を収納する矢印Ａ方向に引っ張られている。
【００１６】
滑車ブロック２０は、外周部にインスツルメントホース５が巻回される滑車２１と、該滑車２１の軸２１’が挿通され、かつ、該軸２１’が走行方向に移動可能なスリット穴を有する機能板２２とから成り、該機能板２２と滑車２１とはばね２３によって連結され、滑車２１は機能板２２に対して常時滑車ブロック２０がインスツルメントホース収納部３内へ引き込まれる方向（Ａ方向）に引っ張られている。
【００１７】
図３は、滑車ブロックの詳細を説明するための図で、図３（Ａ）は、インスツルメントホース５が巻回される滑車２１を示し、該滑車２１は、インスツルメントホース５が安定して巻回されるように中央部に溝が設けられており、中心部に軸２１’を有する。図３（Ｂ）は、機能板２２の平面を示し、該機能板２２には、走行方向に沿うスリット２２’が設けられており、該スリット２２’を通して滑車２１の軸２１’が挿通され、該軸２１’がレール１１に係合し、該軸２１’がレール１１に沿って走行されることにより滑車２１及び機能板２２が、該レール１１に沿って走行されるようになっている。
【００１８】
滑車２１の軸２１’と機能板２２とは、ばね２３によって連結されており、滑車２１の軸２１’は、図３（Ｂ）に示すように、常時、インスツルメントホース５を引き込む方向Ａと同じ方向（Ｂ方向）に引っ張られており、この状態で、リミットスイッチ（又はセンサ）２４をオンにし、該リミットスイッチ（又はセンサ）がオンの時、ブレーキ手段を作動させ、滑車ブロック２０を、その位置に保持する。
【００１９】
図３（Ｃ）は、前記滑車２１と機能板２２とを組み合わせ、滑車２１の軸２１’をレール１１に係合させた時の状態を示す図で、インスツルメントホース５に引っ張り力がかかっていない時の状態を示す。この時、滑車２１の軸２１’はばね２３によって引っ張られて、リミットスイッチ（又はセンサ）２４を作動させ、それによって、例えば、エアーブレーキ等のブレーキ手段２５を作動させ、そのベローズを仕切板１０に押し当て、滑車ブロック２０（機能板２２）をその位置に固定（ロック）している。この状態（図３（Ｃ）の状態）で、術者がインスツルメント４を引き出すと、滑車２１の軸２１’がばね２３の張力に抗して引き出し方向（図３（Ｂ）のＣ方向）に移動し、該軸２１’がリミットスイッチ（センサ）２４から離れて該リミットスイッチ（センサ）２４がオフ状態となり、ブレーキ手段２５が消勢され、滑車ブロック２０はアンロック状態となる。以降、術者がインスツルメントホースを引き出している間、滑車２１の軸２１’は、図３（Ｄ）に示すように、機能板２２のスリット２２’の反対側（Ｃ側）の端部に当り、術者は、インスツルメント４を所望長引き出すことができる。インスツルメントホースを所望長引き出して、引っ張り力を弱めると、滑車２２の軸２１’がばね２３によって図３（Ｃ）に示す位置に戻され、ここで、リミットスイッチ（センサ）２４が働き、ブレーキ手段２５が作動し、該ブレーキ手段２５によって滑車ブロック２０がロックされ、術者は、その状態で作業をすることができる。
【００２０】
図４は、インスツルメント４（インスツルメントホース５）を戻す時の動作を説明するための図で、作業終了後、インスツルメント４をインスツルメントホルダ３に戻したい時、或いは、作業の途中であってもインスツルメントホース５の引き出し長さを短くしようとする時等において、術者が、インスツルメント４を、図４に示すように、上方に持ち上げると、インスツルメントホルダ３のインスツルメントホース引き出し口２’の上方に設けられているセンサ（リミットスイッチ）２６が該インスツルメントホース５の存在を検知し、ブレーキ手段２５をアンロック状態にし、滑車ブロック２０はコプリング２７によってインスツルメントホース収納部３内へ引き戻される。
【００２１】
以上の説明から明らかなように、本発明によると、インスツルメントホース引き出し時、インスツルメントホースを巻く滑車は、該滑車の軸を移動可能に保持する機能板にばねを介して所定の位置に引っ張られてリミットスイッチ又はセンサが作動され、該リミットスイッチ又はセンサの作動によりブレーキ手段が作動されてロックされており、この状態で、インスツルメントホースを引き、滑車に一定量以上の引っ張り力が加わると、滑車が前記ばねの引っ張り力に抗して移動し、この滑車の移動を前記リミットスイッチ又はセンサによって検知して、前記ブレーキ手段を消勢して、滑車のロックを解除（アンロック）してインスツルメントの引き出しを容易にする。インスツルメントホースの引き出しを停止すると、移動した滑車の軸が前記ばねによって元の位置に戻り、この戻りを前記リミットスイッチ又はセンサによって検知して前記ブレーキ手段を付勢して前記滑車をロックする。引き出したインスツルメントホースを戻す時は、引き出したインスツルメントを上方に持ち上げると、インスツルメントホースが持ち上げられたことをセンサ又はリミットスイッチで検知し、前記ブレーキ手段を消勢して滑車をアンロック状態にし、インスツルメントをインスツルメントホルダの元の位置に戻すことができる。これにより、インスツルメントの引き出し、引き戻し時に、インスツルメントホースに大きな負荷をかけるようなこともなく、また、引き戻し時、インスツルメントを持ち上げるという術者の意図的な動作によって、誤動作なく、インスツルメントホースを引き戻すことができる。
【符号の説明】
【００２２】
１…歯科治療用ワークテーブル、２…インスツルメントホルダ、３…インスツルメントホース収納部、４…インスツルメント、５…インスツルメントホース、１０…仕切板、１１…レール、２０…滑車ブロック、２１…滑車、２１’…滑車２１の軸、２２…機能板、２２’…機能板２２に設けられたスリット穴、２３…ばね、２４，２６…センサ又はリミットスイッチ、２５…ブレーキ手段。
【図１】
2011041605.tif 000003
【図２】
2011041605.tif 000004
【図３】
2011041605.tif 000005
【図４】
2011041605.tif 000006